(57)【要約】【課題】テコ作用による押し圧の軽減を十分に実現しつつ、使い勝手のよいレバー式吐出器を提供する。【解決手段】容器体２の口頸部８へ装着可能な装着部材１４からシリンダ１６を垂下し、シリンダ内へ作動部材２６の下半部を上方付勢状態で昇降可能に挿入するとともに、作動部材２６のノズルヘッド３６からノズル筒４６を前側へ突出してなる吐出器本体１２と、上記装着部材１４よりノズルヘッド３６の後側へ起立させた支持体５２を有し、この支持体５２の上端からヒンジ部６０を介してレバー６２を一体的に前方突出するとともに、このレバー６２の長手中間部を、上記ノズルヘッド３６の上面を覆う蓋兼用の押圧部６８に形成したテコ部材５０とを具備する。レバー６２の先部６４を下げると押圧部６８がノズルヘッド３６を押し下げる。【選択図】図１
2017013853.tif 000002
【特許請求の範囲】
【請求項１】
容器体(２)の口頸部(８)へ装着可能な装着部材(１４)からシリンダ(１６)を垂下し、シリンダ(１６)内へ作動部材(２６)の下半部を上方付勢状態で昇降可能に挿入するとともに、作動部材(２６)のノズルヘッド(３６)からノズル筒(４６)を前側へ突出してなり、作動部材(２６)の上下動により容器体(２)内の液体をシリンダ(１６)内へ吸上げてノズル筒(４６)から吐出するように構成した吐出器本体(１２)と、
上記装着部材(１４)よりノズルヘッド(３６)の後側へ起立させた支持体(５２)を有し、この支持体(５２)の上端からヒンジ部(６０)を介してレバー(６２)を一体的に前方突出するとともに、このレバー(６２)の長手中間部を、上記ノズルヘッド(３６)の上面を覆う蓋兼用の押圧部(６８)に形成したテコ部材(５０)と、
を具備し、上記レバー(６２)の先部(６４)を操作すると、上記押圧部(６８)がノズルヘッド(３６)を押し下げるように構成したレバー式吐出器。
【請求項２】
支持体(５２)は、上記装着部材(１４)の後部側より、ノズル筒(４６)の突出箇所と反対に後方へ傾斜して起立しており、この支持体(５２)の上端のヒンジ部(６０)からノズルヘッド(３６)の前方へレバー(６２)を突出したことを特徴とする、請求項１記載のレバー式吐出器。
【請求項３】
上記レバー(６２)は、ヒンジ部(６０)を中心とする回動により後方側への展開状態とすることが可能に形成したことを特徴とする、請求項１又は請求項２記載のレバー式吐出器。
【請求項４】
上記テコ部材(５０)は、ノズルヘッド(３６)の上にレバー(６２)を被せた状態で、上記装着部材(１４)の後部側へ着脱自在に取り付け可能な取付部(５４)を有し、この取付部(５４)から上記支持体(５２)を起立させたことを特徴とする、請求項１から請求項３のいずれかに記載のレバー式吐出器。
【請求項５】
上記レバー(６２)の先部(６４)が、ノズル筒(４６)の上側を覆っているとともに、ノズル筒(４６)とレバー(６２)の先部(６４)との間に、レバー操作によりノズル筒(４６)がレバー(６２)の先部(６４)と接触しないように空隙を設けたことを特徴とする、請求項１から請求項４のいずれかに記載したレバー式吐出器。
【請求項６】
上記レバー(６２)の先部(６４)が、ノズル筒(４６)の上側を覆っているとともに、上記ノズル筒(４６)を柔軟なチューブとして、上記レバー(６２)の先部(６４)の裏面側に取り付けたことを特徴とする、請求項１から請求項４のいずれかに記載したレバー式吐出器。
【請求項７】
上記レバー(６２)の先部(６４)のうち少なくとも押圧部(６８)寄りの部分を、押圧部(６８)から前下方へ傾斜させて、この傾斜箇所に長手方向に延びる挿通スリット(７８)を形成し、この挿通スリット(７８)を通ってノズル筒(４６)を前方突出することで、ノズル筒(４６)の前端部がレバー(６２)の先部(６４)より上側に位置するように設けたことを特徴とする、請求項１から請求項４のいずれかに記載のレバー式吐出器。
【発明の詳細な説明】
【技術分野】
【０００１】
本発明は、レバー式吐出器に関する。
【背景技術】
【０００２】
容器体の口頸部に吐出器を装着したスプレーポンプ付き容器が知られている（特許文献１）。この吐出器は、容器体の口頸部へ装着筒部を介して装着され、前面に吐出孔を開口した押下げ用のノズルヘッドを上部に有する吐出器本体と、装着筒部の後部から起立壁部を介して二股状に分かれてノズルヘッドの前上方へ傾斜して延びる左右一対の支持腕を設け、これら支持腕の上端に、ノズルヘッドの上面を覆う蓋状の押さえ板部の前端をヒンジ連結し、押さえ板部を介してノズルヘッドを押し下げることが可能に押圧操作体とを有している。
【先行技術文献】
【特許文献】
【０００３】
【特許文献１】特許３５１７０１６号
【発明の概要】
【発明が解決しようとする課題】
【０００４】
上記特許文献１の容器の押圧操作体は、ヒンジを支点とする梃子作用を利用して蓋状の押さえ板部を介してノズルヘッドを押し下げるようにしている。しかしながら、支点であるヒンジがノズルヘッドの前面側（吐出孔を開口した側）にあるため、吐出孔からスプレーされる液体が押圧操作体に付着しないように支点位置を設定する必要があり、梃子としての性能を設計する際に制約があった。故にさまざまな用途・使用態様に対応して、十分な性能、良好な使用感を実現することが難しかった。
【０００５】
本発明の第１の目的は、テコ作用による押し圧の軽減を十分に実現しつつ、使い勝手のよいレバー式吐出器を提供することである。
本発明の第２の目的は、場合に応じて複数種類の使い分けができるレバー式吐出器を提供することである。
本発明の第３の目的は、用途に合わせて適正な使用性能を発揮できるレバー式吐出器を提供することである。
【課題を解決するための手段】
【０００６】
第１の手段は、レバー式吐出器であり、
容器体２の口頸部８へ装着可能な装着部材１４からシリンダ１６を垂下し、シリンダ１６内へ作動部材２６の下半部を上方付勢状態で昇降可能に挿入するとともに、作動部材２６のノズルヘッド３６からノズル筒４６を前側へ突出してなり、作動部材２６の上下動により容器体２内の液体をシリンダ１６内へ吸上げてノズル筒４６から吐出するように構成した吐出器本体１２と、
上記装着部材１４よりノズルヘッド３６の後側へ起立させた支持体５２を有し、この支持体５２の上端からヒンジ部６０を介してレバー６２を一体的に前方突出するとともに、このレバー６２の長手中間部を、上記ノズルヘッド３６の上面を覆う蓋兼用の押圧部６８に形成したテコ部材５０と、
を具備し、上記レバー６２の先部６４を操作すると、上記押圧部６８がノズルヘッド３６を押し下げるように構成した。
【０００７】
本手段では、図１、図６、図１０に示す如く、装着部材１４よりノズルヘッド３６の後側（ノズル筒と反対側）へ起立させた支持体５２の上端からヒンジ部６０を介してレバー６２を一体的に前方突出している。このレバー６２の長手中間部を、上記ノズルヘッド３６の上面を覆う蓋兼用の押圧部６８に形成しているので、梃子の原理を利用して押し圧を軽減できるとともに、バランスよくノズルヘッドを押し下げることができる。
【０００８】
第２の手段は、第１の手段を有し、かつ
支持体５２は、上記装着部材１４の後部側より、ノズル筒４６の突出箇所と反対に後方へ傾斜して起立しており、この支持体５２の上端のヒンジ部６０からノズルヘッド３６の前方へレバー６２を突出している。
【０００９】
本手段では、図１、図６、図１０に示すように、装着部材１４の後部側より後方へ傾斜させて起立した支持体５２の上端のヒンジ部６０から、ノズルヘッド３６の前方へレバー６２を突出している。すなわち、本願の支持体は、特許文献１の支持腕とは逆に、ノズル筒を設けた箇所から離れるように傾斜している。従ってノズル筒からの液体の噴出範囲によりヒンジ部の位置が制限されることがない。レバー６２を操作すると、押圧部６８はヒンジ部６０を中心とする円弧状を移動するので、ヒンジ部６０と距離が近い場合には、押下げ幅を大きく設計したときにノズルヘッド３６の押し下げ方向にブレなどを生ずる可能性がある。しかしながら、本手段の構成では、装着部材１４の後部から支持体５２を後方へ傾斜させているので、ヒンジ部６０から押圧部６８の距離を適当に確保できる。
【００１０】
第３の手段は、第１の手段又は第２の手段を有し、かつ
上記レバー６２は、ヒンジ部６０を中心とする回動により後方側への展開状態とすることが可能に形成した。
【００１１】
本手段では、図５、図９、図１４に示すように、レバー６２を、ヒンジ部６０を中心とする回動により後方側へ展開させることができ、展開状態でノズルヘッド３６を指で直接押し下げることができる。
【００１２】
第４の手段は、第１の手段から第３の手段のいずれかを有し、かつ
上記テコ部材５０は、ノズルヘッド３６の上にレバー６２を被せた状態で、上記装着部材１４の後部側へ着脱自在に取り付け可能な取付部５４を有し、この取付部５４から上記支持体５２を起立させた。
【００１３】
本手段では、図１又は図１０に示すように、テコ部材５０は、上記装着部材１４の後部側へ着脱自在に取り付け可能な取付部５４を有している。そしてノズルヘッド３６の上にレバー６２を被せるように取り付けるだけで、使用できるようにしている。
【００１４】
第５の手段は、第１の手段から第４の手段のいずれかを有し、かつ
上記レバー６２の先部６４が、ノズル筒４６の上側を覆っているとともに、ノズル筒４６とレバー６２の先部６４との間に、レバー操作によりノズル筒４６がレバー６２の先部６４と接触しないように空隙を設けている。
【００１５】
本手段では、図１に示すように、上記レバー６２の先部６４が、ノズル筒４６の上側を覆っており、埃などの付着を防止している。またノズル筒４６とレバー６２の先部６４との間に、空隙を存して設けているので、レバー操作によりノズル筒４６がレバー６２の先部６４と接触してノズル筒４６の向きが変わることがない。
【００１６】
第６の手段は、第１の手段から第４の手段のいずれかを有し、かつ
上記レバー６２の先部６４が、ノズル筒４６の上側を覆っているとともに、上記ノズル筒４６を柔軟なチューブとして、上記レバー６２の先部６４の裏面側に取り付けている。
【００１７】
本手段では、図６に示すように、上記ノズル筒４６を柔軟なチューブとしたので、レバーの形状になじみ易く、レバー６２の先部６４とノズル筒４６とが一体的に動く。この場合、ノズル筒４６の先端開口（ノズル孔）の位置を把握し易い。図示例の場合には、真下に液体を吐出する場合に好適である。
【００１８】
第７の手段は、第１の手段から第４の手段のいずれかを有し、かつ
上記レバー６２の先部６４のうち少なくとも押圧部６８寄りの部分を、押圧部６８から前下方へ傾斜させて、この傾斜箇所に長手方向に延びる挿通スリット７８を形成し、この挿通スリット７８を通ってノズル筒４６を前方突出することで、ノズル筒４６の前端部がレバー６２の先部６４より上側に位置するように設けている。
【００１９】
本手段は、図１０及び図１１に示すように、レバー６２の先部６４の押圧部６８寄りの部分を傾斜させて、傾斜箇所を長手方向に延びる挿通スリット７８を通ってノズル筒４６を前方突出している。この場合に、ノズル筒４６の前端部がレバー６２の先部６４より上側に位置する。従って前方の比較的遠い場所に突出しようとする場合に適している。
【発明の効果】
【００２０】
第１の手段に係る発明によれば、レバー６２を含むテコ部材５０を吐出器本体１２をノズルヘッド３６へ取り付けるだけで使用できるので、使い勝手がよく、レバー６２の長手方向中間部を蓋兼用の押圧部６８としたから、吐出操作に必要な押し圧を軽減できる。
また支持体５２を装着部材１４の後側（ノズル筒と反対側）へ起立したから、ノズル筒からの吐出液体の向きに左右されずにレバー６２の構成を設計できる。
第２の手段に係る発明によれば、装着部材１４の後部側より後方へ傾斜させて起立した支持体５２の上端のヒンジ部６０から、ノズルヘッド３６の前方へレバー６２を突出しているから、ノズルヘッド３６を、ブレなどを生じずに的確に押し下げることができる。
第３の手段に係る発明によれば、レバー６２を後方へ展開することにより、ノズルヘッド３６を直接押圧して液体を吐出する使用態様も可能となる。
第４の手段に係る発明によれば、既存の吐出器のノズルヘッド３６の上にレバー６２を被せるように取り付けるだけで使用できるので、便利である。
第５の手段又は第６の手段に係る発明によれば、レバー６２の先部がノズル筒４６の上側を覆っているので、ノズル筒４６に埃などが付着し難い。
また第５の手段によれば、上記ノズル筒４６とレバー６２の先部６４との間に空隙を設けて、レバー操作によりノズル筒４６がレバー６２の先部６４と接触しないようにしたから、当該接触によりノズル筒４６の向きが変わることがなく、テコ部材がないときに近い使用特性が得られる。
第６の手段に係る発明によれば、上記ノズル筒４６を柔軟なチューブとしたので、レバー６２の先部６４とノズル筒４６とが一体的に動くので、ノズル孔の位置を把握し易い。
第７の手段に係る発明によれば、上記レバー先部６４のうち押圧部６８から前下方への傾斜板部に形成した挿通スリット７８を通って、ノズル筒４６を前方突出したから、レバーに邪魔されずに前方へ液体を突出できる。
【図面の簡単な説明】
【００２１】
【図１】本発明の第１実施形態に係るレバー式吐出器を含む吐出容器で側方から見た断面図である。
【図２】図１の吐出容器の要部の背面図である。
【図３】図１の吐出容器の容器体の底面図である。
【図４】図１の吐出容器のテコ部材展開状態での平面図である。
【図５】図４の吐出容器の側面図である。
【図６】本発明の第２実施形態に係るレバー式吐出器を含む吐出容器の側方から見た断面図ある。
【図７】図６の吐出容器の要部の背面図である。
【図８】図６の吐出容器のテコ部材展開状態での平面図である。
【図９】図８の吐出容器の側面図である。
【図１０】本発明の第３実施形態に係るレバー式吐出器を含む吐出容器の側方から見た断面図ある。
【図１１】図１０の吐出容器の要部の正面図である。
【図１２】図１０の吐出容器の要部の背面図である。
【図１３】図１０の吐出容器のテコ部材展開状態での平面図である。
【図１４】図１３の吐出容器の側面図である。
【発明を実施するための最良の形態】
【００２２】
図１から図５は、本発明の第１実施形態に係るレバー式吐出器を容器体に適用した例を示している。この吐出容器は、容器体２と、レバー式吐出器１０とで構成されている。これらの部材は、例えば合成樹脂や金属で形成することができる。なお、本明細書においては、便宜的に、後述のノズル筒を設ける側（図１の左側）を前側、反対側（同図の右側）を後側といい、前後方向と直交する向きを左右方向とする。
【００２３】
容器体２は、底壁３の外周部に下面を連結した胴部４を有し、胴部４の上端から肩部６を介して口頸部８を起立している。
【００２４】
容器体の底面Ｂには、容器体を載置する面（以下載置面という）に対する滑り止め手段Ｎを設ける。滑り止め手段は、本実施形態では、他物に対する着脱を繰り返すことが可能な粘着作用を有する印刷部としており、容器体の底面へ印刷するだけでよいので、製作が容易である。商品流通段階では上記印刷物を覆う剥離紙を設け、利用者が使用する段階で剥離紙を除去するようにしてもよい。もっとも滑り止め手段Ｎの構成は、適宜変更することができる。このように容器体の底面に載置面との滑り止め手段Ｎを形成した場合には、載置面に容器体２を置いた状態でレバー６２を操作しても容器体２が滑ることがなく、使用態様の自由度が増す。
【００２５】
また図示例では、図１に示す如く底面Ｂの中央部を上方への弯曲面として残りの外周部に滑り止め手段Ｎである印刷部を形成している。図３に示す通り、複数の印刷部を周方向に等間隔に離して形成すると好適である。
【００２６】
レバー式吐出器１０は、吐出器本体１２と、テコ部材５０とで構成されている。
【００２７】
上記吐出器本体１２は、図１に示す如く、装着部材１４と、シリンダ１６と、抜止め部材２０と、ポペット弁体２２と、作動部材２６と、スペーサ３４とで形成している。これら各部材は、特に断らない限り合成樹脂や金属で成形することができる。
【００２８】
装着部材１４は、容器体口頸部への嵌合用の装着筒部１４ａの上端から内向きフランジ１４ｂを介して案内筒部１４ｃを起立しているが、その構造は適宜変更することができる。
【００２９】
シリンダ１６は、その周壁の上部に鍔部１６ａを有し、周壁の下部にテーパ状部１６ｂを形成するとともに、このテーパ状部から一体的に取付筒部１６ｄを垂下している。この取付筒部１６ｄに吸上げパイプ１８の上部を嵌合している。また周壁の下部内面からは、後述のコイルスプリングの下端を係止するための上向き段部を有する複数の係止リブ１６ｃを周方向に間隔を存して内方突出している。上記鍔部１６ａの下面にはパッキンＰを付設している。
【００３０】
抜止め部材２０は、シリンダ１６の内面上部に嵌合されており、後述の筒状ピストン３０に当接して抜け止めをすることが可能に設ける。
【００３１】
ポペット弁体２２は、棒状の部材であり、下部の外面から側外方へフィン２４を突出している。このポペット弁体２２は、シリンダ１６の下部内から上方へ延びており、後述のシール片で昇降可能にかつ垂直に支持されている。この支持状態でポペット弁体２２の下端部はテーパ状部１６ｂで形成する弁座と対峙しており、これら下端部と弁座とで第１逆止弁Ｖ１が形成されている。上記ポペット弁体２２のフィン２４は、上記係止リブ１６ｃ同士の間隙内に挿入している。
【００３２】
作動部材２６は、ピストンガイド２８と筒状ピストン３０とステム３２とノズルヘッド３６とで構成している。
【００３３】
上記ピストンガイド２８は、縦筒部２８ａの下部内面に付設した環状のシール片２８ｄと、縦筒部２８ａの下部外面から突出した鍔状の弁座用壁部２８ｃとを有する。この弁座用壁部２８ｃと係止リブ１６ｃの上向き段部との間にはコイルスプリングＳが介装されている。上記縦筒部の下部には連通孔２８ｂ（横孔）を開口している。上記シール片２８ｄはポペット弁体２２の外周に接している。
【００３４】
上記筒状ピストン３０は、図示例において、図１に示す通り、内周壁部３０ｂと外周壁部３０ａとからなる２重筒状であり、内周壁部３０ｂ及び外周壁部３０ａの各上下方向中間部で連続している。外周壁部３０ａの上下両部分は先端大径のスカート状部として、シリンダ１６の内面に摺動可能に嵌合している。上記内周壁部３０ｂの下部は上記弁座用壁部２８ｃに着座可能に形成しており、これら内周壁部３０ｂの下部分と弁座用壁部２８ｃとで第２逆止弁Ｖ２が形成されている。また上記内周壁部３０ｂの上部分は後述のステム３２の大径筒部３２ａ内面に液密にかつ摺動可能に嵌合させている。
【００３５】
上記ステム３２は、上記ピストンガイド２８の筒壁上部に嵌合させて、シリンダ１６の上方へ起立している。図示例ではステム３２の下部を大径筒部３２ａとしている。
【００３６】
上記ノズルヘッド３６は上記ステム３２の上部に取り付けている。図示例ではノズルヘッド３６の頂壁部３８の外周部から小径の連結筒部４０及び大径のヘッド周壁４２を２重筒状に垂下している。もっともこうした構造は適宜変更することができる。その連結筒部４０内には、頂壁部３８との間に一定の間隙を存して上記ステム３２の上部に嵌着している。上記連結筒部４０の上部からは、ヘッド周壁４２の上部を貫通してノズル筒４６を前方へ突出している。
【００３７】
スペーサ３４は、後側を切開した平面視Ｃ字形の弾性的な嵌着壁部３４ａと、この嵌着壁部３４ａの前面から突出する摘み部３４ｂとで形成されている。嵌着壁部３４ａは、内向きフランジ１４ｂの上面とヘッド周壁４２との間で上記案内筒部１４ｃの外面に嵌合することができ、この嵌合状態でノズルヘッド３６を押し下げようとすると、ヘッド周壁４２の下端と当接して、ノズルヘッド３６の押し下げを阻止するように形成されている。
【００３８】
ここで吐出器本体１２の作用を説明すると、当該本体を容器体の口頸部に装着し、スペーサ３４を外して、ノズルヘッド３６を押し下げると、ピストンガイド２８が筒状ピストン３０に対して下降して第２逆止弁Ｖ２が開き、かつピストンガイド２８とともにポペット弁体２２が下降して第１逆止弁Ｖ１が閉じる。これにより、ポンプ室（弁座用壁部２８ｃの下面とシリンダ１６の下部との間の空間をいう）から、弁座用壁部２８ｃ及びシリンダ１６の間の隙間を通り、連通孔２８ｂとステム３２とを経てノズル筒４６外方へ吐出される。
【００３９】
上記ノズルヘッド３６の押下げを解放すると、ピストンガイド２８はコイルスプリングＳにより押し上げられ、かつポペット弁体２２もシール片２８ｄとの摩擦により引き上げられる。これにより第１逆止弁Ｖ１が開く。ポペット弁体２２は、フィン２４がコイルスプリングＳの下端に接すると上昇を停止する。ステム３２はさらにピストンガイド２８とともに上昇し、他方、筒状ピストン３０はこの時点では上昇しないため、第２逆止弁Ｖ２が閉じる。
【００４０】
テコ部材５０は、図１に示す如く、支持体５２と、レバー６２とで構成される。
【００４１】
上記支持体５２は、上記装着筒部１４ａの後側に取り付けた取付部５４から支持腕５６を起立させてなる。取付部５４は、上記装着筒部１４ａを後側から抱持できるように、前側を切開した平面視Ｃ字形の取付壁部５４ａを有し、この取付壁部５４ａの上下両端から装着筒部１４ａの下端に当接する下挟持板部５４ｂ及び内向きフランジ１４ｂに当接する上挟持板部５４ｃを延設している。上記取付壁部５４ａの前側には、上記下挟持板部５４ｂ及び上挟持板部５４ｃとの隣接箇所に位置して、取付壁部５４ａの拡開変形を容易とする切溝５４ｄを穿設している（第３実施形態の図１０を参照）。
【００４２】
上記支持腕５６は、上記取付部５４の後部から後上方へ斜めに起立している。これにより、ヒンジ部６０から押圧部６８までの距離を大きくとることができるので、押圧部６８はヒンジ部６０を中心とする大きな仮想円弧（図示せず）に沿って移動する。従って押圧部６８はノズルヘッド３６をより真っ直ぐに押し下げることができる。図示の支持腕５６は、背板部５６ａの両端から前方へ左右一対の側板部５６ｂを突出してなる。しかしながら支持腕５６の構造は適宜変更することができる。
【００４３】
上記支持腕５６の上端部は、ヒンジ部６０を介してレバー６２に連結している。本実施形態のヒンジ部６０は、左右両側のヒンジ５８と、両ヒンジの間の弾性板５９とで構成している。これにより、後述のレバー６２を図５に示すように後方へ展開することができ、かつこの展開状態でレバー６２を支えることができる。ヒンジ部の構造は適宜変更することができる。
【００４４】
上記レバー６２は、前後方向に長く、上記ヒンジ部６０からノズルヘッド３６よりも前方へ突設している。図示のレバー６２は、図１に示すように前後に長い天板部６２ａの外周部から周壁部６２ｂを垂下してなるが、この構造は適宜変更することができる。レバー６２の長さや周壁部６２ｂの上下幅は、ノズル筒４６からの吐出液体がレバー６２に触れないように設計する。
【００４５】
本明細書では、上記レバー６２のうちヒンジ部６０から遠い側を先部６４、ヒンジ部６０に近い側を基部６６と称する。先部６４と基部６６との間の長手方向中間部は、ノズルヘッド３６の頂壁部３８を覆う蓋兼用の押圧部６８とする。
本実施形態では、押圧部６８を、レバーの展開状態を表す図４に示す如く、レバー６２の残りの部分に比べて幅広の円形部分とし、押圧部６８の外周からノズルヘッド３６の周囲へ、下方から見てＣ字形の補助壁部７２を垂下している。レバーの長手方向中間部では、上記周壁部６２ｂが補助壁部７２に連続している。
また図示例では、基部６６の裏面に周壁部６２ｂの左右両部と連続する補強リブ６７を形成している。
【００４６】
また上記押圧部６８の裏面からは、前後方向に向けた押圧板部７０を垂下している。図示例では、図４に示すように左右一対の押圧板部７０を設け、各押圧板部７０は左右側方から見て半円形状に形成しているが、その構造は適宜変更することができる。
【００４７】
またノズル筒４６とレバー６２の先部６４との間には、レバー操作によりノズル筒４６がレバー６２の先部６４と接触しないように空隙を設ける。
【００４８】
上記構成において、レバー６２の先部６４を押し下げると、ヒンジ部６０を中心としてレバー６２が回動し、押圧板部７０がノズルヘッド３６の頂壁部３８を押し下げる。これにより吐出器本体１２の作動部材２６が下降してノズル筒４６から液体が吐出される。上記レバー６２の押し下げを解放すると、コイルスプリングＳの復元力により、作動部材２６が上昇して、容器体内からシリンダ１６内へ液体が吸い上げられる。
なお、容器体２の底面Ｂに滑り止め手段Ｎを設けているから、容器体を手で支えずに机の天板などの載置面に置いた状態でレバー６２を操作しても、容器体が滑ることがない。
またレバー６２を展開状態として、ノズルヘッド３６を直接指で押し下げ操作して使用することもできる。
【００４９】
以下、本発明の他の実施形態について説明する。これらの説明において第１実施形態と同じ構成については解説を省略する。
【００５０】
図６から図９は、本発明の第２実施形態に係る吐出容器を示している。本実施形態では、ノズルヘッド３６及びレバー６２の構造、支持体５２の構造、滑り止め手段Ｎの構造が、第１実施形態と異なる。
【００５１】
まず本実施形態では、ノズル筒４６を、ノズルヘッド３６の本体と別体である軟材質のチューブとして形成して、ノズルヘッド３６の本体に連結している。ノズル筒４６は軟材質（例えばエラストマー等）なので、変形し易くレバー６２となじんで下方へ押圧し易い構造となっている。またノズルヘッド３６は、連結筒部を省略することで全体として小外径に形成し、ヘッド周壁４２の下部内にステム３２の上部を嵌合させている。ヘッド周壁４２の上部を、上記下部に対して小径部４２ａとし、この小径部４２ａから前方へ取付筒部４３を突設する。そしてこの取付筒部４３の外面にノズル筒４６の一端部を液密に嵌着するとともに、ノズル筒４６の他端部側を、上記レバー６２の先部６４内に係止させている。好適な図示例では、レバー６２の先部６４を把持する手に、ノズル筒４６から吐出される液体が付着することを回避するために、図８に示す如く、先部６４から左右両側へ突出する指掛け片６５を突出している。
【００５２】
好適な図示例では、レバー６２の先部６４において、天板部６２ａから、図８に示す如く、相互にノズル筒４６の外径相当の間隙をあけて左右一対の係止板６３を、前後方向に対して平行に垂下し、これら係止板６３の対向面の下部に係止片６３ａを付設している。これら係止板６３の間に挿入したノズル筒４６の他端部を、図６に示すように、下側から上記係止片６３ａで支えるように形成している。ノズル筒４６の他端部の開口面は斜め下向きに向けている。上記レバー６２の天板部６２ａには、上記係止片６３ａの上方にそれぞれ位置させて、一対の透孔８０を開口している。これら透孔はレバーを金型成形するために必要なものである。
【００５３】
また本実施形態では、レバー６２の押圧部６８において、周壁部６２ｂに対して上記ノズルヘッド３６のヘッド周壁４２を係止させている。図示例では、ノズルヘッド３６の小径部４２ａから側方から見て円形の左右一対の係合凸部４４を突設し、これら係合凸部４４を、周壁部６２ｂ内面に形成した係合凹部７４内へ枢着させている。しかしながら周壁部６２ｂ側に係合凸部を、ノズルヘッド側に係合凹部を設けても構わない。図示の周壁部６２ｂには、図９に示す如く、Ｕ字状リブ７６ａと横リブ７６ｂとからなる軸受部７６を形成し、これらＵ字状リブ７６Ａと横リブ７６ｂとで囲まれる空間に係合凹部７４を形成している。
【００５４】
また本実施形態では、第１実施形態における取付部を省略して、支持腕５６を装着筒部１４ａの後部から直接立設させている。またスペーサも省略されている。
【００５５】
さらに本実施形態では、滑り止め手段Ｎとして、吸盤式の滑り止め部材を採用している。この部材は、容器体の底面Ｂ外周部に接着した吸盤固定部９ａから下外方へ吸盤本体９ｂを突出してなる。
【００５６】
図１０から図１４は、本発明の第３実施形態に係る吐出容器を示している。本実施形態では、レバー６２の形状が第１実施形態と異なる。すなわち、図１０に示すレバー６２の先部６４は、押圧部６８から前下方へ向かう第１傾斜板部６４ａを含み、図１１に示す如く、この第１傾斜板部６４ａの巾方向中間部に長手方向へ延びる挿通スリット７８を形成して、この挿通スリット７８を通ってノズル筒４６を前方へ突出している。この構成では、前の実施形態に比べて前方のより遠い箇所へ突出したい場合に好適である。本実施形態では、上記第１傾斜板部６４ａの前端から前上方へ延びる第２傾斜板部６４ｂを突出しており、この第２傾斜板部６４ｂを把持してレバーを操作できるようにしている。 
【符号の説明】
【００５７】
２…容器体  ３…底壁  ４…胴部  ６…肩部  ８…口頸部
９ａ…吸盤固定部  ９ｂ…吸盤本体
１０…レバー式吐出器  １２…吐出器本体
１４…装着部材  １４ａ…装着筒部  １４ｂ…内向きフランジ
１４ｃ…案内筒部
１６…シリンダ  １６ａ…鍔部  １６ｂ…テーパ状部  １６ｃ…係止リブ
１６ｄ…取付筒部
１８…吸上げパイプ  ２０…抜止め部材  ２２…ポペット弁体  ２４…フィン
２６…作動部材  ２８…ピストンガイド  ２８ａ…縦筒部  ２８ｂ…連通孔
２８ｃ…弁座用壁部  ２８ｄ…シール片
３０…筒状ピストン  ３０ａ…外周壁部  ３０ｂ…内周壁部
３２…ステム  ３２ａ…大径筒部
３４…スペーサ  ３４ａ…嵌着壁部  ３４ｂ…摘み部
３６…ノズルヘッド  ３８…頂壁部  ４０…連結筒部
４２…ヘッド周壁  ４２ａ…小径部
４３…取付筒部  ４４…係合凸部
４６…ノズル筒
５０…テコ部材  ５２…支持体
５４…取付部  ５４ａ…取付壁部  ５４ｂ…下挟持板部
５４ｃ…上挟持板部  ５４ｄ…切溝
５６…支持腕  ５６ａ…背板部  ５６ｂ…側板部
５８…ヒンジ  ５９…弾性板  ６０…ヒンジ部
６２…レバー  ６２ａ…天板部  ６２ｂ…周壁部
６３…係止板  ６３ａ…係止片  
６４…先部  ６４ａ…第１傾斜板部  ６４ｂ…第２傾斜板部  ６５…指掛け片
６６…基部  ６７…リブ
６８…押圧部  ７０…押圧板部  ７２…補助壁部
７４…係合凹部  ７６…軸受部  ７６ａ…Ｕ字状リブ  ７６ｂ…横リブ
７８…挿通スリット  ８０…透孔
Ｂ…底面  Ｎ…滑り止め手段  Ｐ…パッキン  Ｓ…コイルスプリング
Ｖ１…第１逆止弁  Ｖ２…第２逆止弁
【図１】
2017013853.tif 000003
【図２】
2017013853.tif 000004
【図３】
2017013853.tif 000005
【図４】
2017013853.tif 000006
【図５】
2017013853.tif 000007
【図６】
2017013853.tif 000008
【図７】
2017013853.tif 000009
【図８】
2017013853.tif 000010
【図９】
2017013853.tif 000011
【図１０】
2017013853.tif 000012
【図１１】
2017013853.tif 000013
【図１２】
2017013853.tif 000014
【図１３】
2017013853.tif 000015
【図１４】
2017013853.tif 000016